(57)【要約】【課題】ランダムアクセス手順におけるMsg.3の内容を拡張せずに、NB-IoT UE向けの適切なコアネットワークを選択し得る無線基地局及び無線通信方法を提供する。【解決手段】eNB200は、データ無線ベアラを用いてユーザプレーン・データが送受信され、アイドル状態においてもユーザ装置のコンテキストが保持される第１コアネットワークと、シグナリング無線ベアラを用いてユーザプレーン・データが送受信される第２コアネットワークとに少なくとも接続されている。無線通信方法は、UE100が、メディアム・アクセス・制御レイヤにおけるヘッダ領域に含まれ、UE100がサポートしているコアネットワークの種別を示すサポート情報を、eNB200から送信するステップと、eNB200が、UE100から受信したサポート情報に基づいて、UE100と接続されるコアネットワークを選択するステップとを含む。【選択図】図４
2017147518.tif 000002
【特許請求の範囲】
【請求項１】
メディアム・アクセス・制御レイヤを備え、複数のコアネットワークと接続された無線基地局であって
前記無線基地局は、
データ無線ベアラを用いてユーザプレーン・データが送受信され、アイドル状態においてもユーザ装置のコンテキストが保持される第１コアネットワークと、
シグナリング無線ベアラを用いてユーザプレーン・データが送受信される第２コアネットワークとに少なくとも接続されており、
前記メディアム・アクセス・制御レイヤにおけるヘッダ領域に含まれ、前記ユーザ装置がサポートしているコアネットワークの種別を示すサポート情報を、前記ユーザ装置から受信するサポート情報受信部と、
前記サポート情報受信部が受信した前記サポート情報に基づいて、前記ユーザ装置と接続されるコアネットワークを選択するネットワーク選択部と
を備える無線基地局。
【請求項２】
前記サポート情報受信部は、前記ヘッダ領域に含まれる論理チャネル識別子を用いて前記ユーザ装置がサポートしているコアネットワークの種別が示された前記サポート情報を受信する請求項１に記載の無線基地局。
【請求項３】
前記ネットワーク選択部は、前記サポート情報に基づいて、前記メディアム・アクセス・制御レイヤからS1アプリケーション・プロトコルレイヤに前記ユーザ装置がサポートしているコアネットワークを通知する請求項１に記載の無線基地局。
【請求項４】
前記ネットワーク選択部は、前記サポート情報に基づいて、前記メディアム・アクセス・制御レイヤから、無線リソース制御レイヤを介してS1アプリケーション・プロトコルレイヤに前記ユーザ装置がサポートしているコアネットワークを通知する請求項１に記載の無線基地局。
【請求項５】
複数のコアネットワークを含む無線通信システムにおける無線通信方法であって、
前記無線通信システムに含まれる無線基地局は、
データ無線ベアラを用いてユーザプレーン・データが送受信され、アイドル状態においてもユーザ装置のコンテキストが保持される第１コアネットワークと、
シグナリング無線ベアラを用いてユーザプレーン・データが送受信される第２コアネットワークとに少なくとも接続されており、
前記ユーザ装置が、メディアム・アクセス・制御レイヤにおけるヘッダ領域に含まれ、前記ユーザ装置がサポートしているコアネットワークの種別を示すサポート情報を、前記無線基地局から送信するステップと、
前記無線基地局が、前記ユーザ装置から受信した前記サポート情報に基づいて、前記ユーザ装置と接続されるコアネットワークを選択するステップと
を含む無線通信方法。
【発明の詳細な説明】
【技術分野】
【０００１】
本発明は、メディアム・アクセス・制御レイヤを備え、複数のコアネットワークと接続された無線基地局及び無線通信方法に関する。
【背景技術】
【０００２】
3rd Generation Partnership Project（3GPP）は、Long Term Evolution（LTE）を仕様化し、LTEの更なる高速化を目的としてLTE-Advanced（以下、LTE-Advancedを含めてLTEという）を仕様化している。
【０００３】
また、3GPPでは、Internet of Things（IoT）向けのユーザ装置（UE）の仕様が検討されている。具体的には、NB-IoT（Narrow Band Internet of Things）向けのUE（以下、NB-IoT UE）の仕様として、狭い周波数帯域（200kHz）を用いること、及び簡素化された機能（Low Complexity）、例えば、半二重通信（Half Duplex）や、移動性の非対応が提示されている（例えば、非特許文献１）。
【０００４】
さらに、3GPPでは、3GPPの技術標準に準拠した移動通信ネットワークを用いてIoTを実現するCellular IoT（CIoT）に対応したコアネットワークが規定されている。当該コアネットワークは、NB-IoT UEが送受信する信号量の削減に配慮しており、ユーザプレーン（UP） based NW、及び制御プレーン（CP） based NWの２種類が規定されている。
【０００５】
UP based NWでは、既存のLTEと同様に、データ無線ベアラ（DRB）を用いて、ユーザプレーンのデータが送受信される。但し、NB-IoT UEがUP based NWにアタッチした後、アイドル状態に遷移する場合でも、NB-IoT UE及び無線基地局（eNB）は、コンテキスト（UE Context）を保持することができる。これにより、NB-IoT UEがアイドル状態からアクティブ状態に遷移する際に当該コンテキストを再利用でき、NB-IoT UEが送受信する信号量を削減できる。
【０００６】
CP based NWでは、シグナリング無線ベアラ（SRB）を用いて、ユーザプレーンのデータが送受信される。具体的には、NAS-PDU（Non-Access Stratum Protocol Data Unit）がSRBにピギーバックされ、NAS-PDUを用いてユーザプレーンのデータが伝送される。これにより、DRBの設定が不要となるため、NB-IoT UEが送受信する信号量を削減できる。
【０００７】
また、3GPPでは、ランダムアクセス手順においてNB-IoT UEからeNBに送信されるMsg.3（現状６バイト）を拡張し、NB-IoT UEが当該ネットワーク（UP based NW、CP based NW）への接続をサポートしているか否かを示す情報を追加することが検討されている。これにより、eNBは、NB-IoT UEが接続する適切なコアネットワークを選択することができる。
【先行技術文献】
【非特許文献】
【０００８】
【非特許文献１】3GPP TR RP-151621, 3GPP Work Item Description: Narrowband IOT、3GPP、2105年9月
【発明の概要】
【発明が解決しようとする課題】
【０００９】
しかしながら、上述したようにMsg.3を拡張することによってMsg.3のサイズが増大すると、次のような問題がある。すなわち、ランダムアクセス手順内においてNB-IoT UEから送信されたMsg.3のeNBにおける受信特性に悪影響を与える可能性がある。具体的には、特に、NB-IoT UEがセルのエッジ部分に存在する場合などにおいて、eNBにおけるMsg.3の受信誤り率や受信成功率が劣化することが懸念される。
【００１０】
そこで、本発明は、このような状況に鑑みてなされたものであり、ランダムアクセス手順におけるMsg.3の内容を拡張せずに、NB-IoT UE向けの適切なコアネットワークを選択し得る無線基地局及び無線通信方法の提供を目的とする。
【課題を解決するための手段】
【００１１】
本発明の一態様に係る無線基地局は、メディアム・アクセス・制御レイヤを備え、複数のコアネットワークと接続されている。前記無線基地局は、データ無線ベアラを用いてユーザプレーン・データが送受信され、アイドル状態においてもユーザ装置のコンテキストが保持される第１コアネットワークと、シグナリング無線ベアラを用いてユーザプレーン・データが送受信される第２コアネットワークとに少なくとも接続されている。前記無線基地局は、前記メディアム・アクセス・制御レイヤにおけるヘッダ領域に含まれ、前記ユーザ装置がサポートしているコアネットワークの種別を示すサポート情報を、前記ユーザ装置から受信するサポート情報受信部と、前記サポート情報受信部が受信した前記サポート情報に基づいて、前記ユーザ装置と接続されるコアネットワークを選択するネットワーク選択部とを備える。
【００１２】
本発明の一態様に係る無線通信方法は、複数のコアネットワークを含む無線通信システムにおいて用いられる。前記無線通信システムに含まれる無線基地局は、データ無線ベアラを用いてユーザプレーン・データが送受信され、アイドル状態においてもユーザ装置のコンテキストが保持される第１コアネットワークと、シグナリング無線ベアラを用いてユーザプレーン・データが送受信される第２コアネットワークとに少なくとも接続されている。無線通信方法は、前記ユーザ装置が、メディアム・アクセス・制御レイヤにおけるヘッダ領域に含まれ、前記ユーザ装置がサポートしているコアネットワークの種別を示すサポート情報を、前記無線基地局から送信するステップと、前記無線基地局が、前記ユーザ装置から受信した前記サポート情報に基づいて、前記ユーザ装置と接続されるコアネットワークを選択するステップとを含む。
【発明の効果】
【００１３】
上述した無線基地局及び無線通信方法によれば、ランダムアクセス手順におけるMsg.3の内容を拡張せずに、NB-IoT UE向けの適切なコアネットワークを選択し得る。
【図面の簡単な説明】
【００１４】
【図１】図１は、無線通信システム10の全体概略構成図である。
【図２】図２は、UE100の機能ブロック構成図である。
【図３】図３は、eNB200の機能ブロック構成図である。
【図４】図４は、UE100及びeNB200によるコアネットワークの選択シーケンスを示す図である。
【図５】図５（ａ）及び（ｂ）は、Msg.3の送信に用いられるMAC PDU及びMAC subheaderの構成例を示す図である。
【図６】図６は、上り方向の共有チャネル（UL-SCH）におけるLCIDの一例を示す図である。
【発明を実施するための形態】
【００１５】
以下、実施形態を図面に基づいて説明する。なお、同一の機能や構成には、同一または類似の符号を付して、その説明を適宜省略する。
【００１６】
（１）無線通信システムの全体概略構成
図１は、本実施形態に係る無線通信システム10の全体概略構成図である。無線通信システム10は、3rd Generation Partnership Project（3GPP）において規定されるLong Term Evolution（LTE）に従った無線通信システムである。無線通信システム10は、ユーザ装置100（以下、UE100）、無線基地局200（以下、eNB200）、及び複数のコアネットワーク（コアネットワーク20, 21, 22）を含む。
【００１７】
なお、無線通信システム10は、必ずしもLTE（Evolved Universal Terrestrial Radio Access Network（E-UTRAN））に限定されない。例えば、コアネットワーク20は、5Gとして規定されるUE100と無線通信を実行する無線基地局を含む無線アクセスネットワークであってもよい。
【００１８】
eNB200は、複数のコアネットワークに接続されている。具体的には、eNB200は、コアネットワーク20、コアネットワーク21及びコアネットワーク22に接続されている。
【００１９】
コアネットワーク20は、従来のLTE（Release-12まで）の標準（以下、適宜Legacyと標記する）に従っており、当該LTEの標準に準拠した移動管理ノード30（以下、MME30）を含む。コアネットワーク20では、データ無線ベアラ（DRB）及びシグナリング無線ベアラ（SRB）が設定される。UE100が送受信するユーザプレーン・データ（Uプレーンデータ）は、DRBを経由する。
【００２０】
コアネットワーク21は、3GPPの技術標準に準拠した移動通信ネットワークを用いてIoTを実現するCellular IoT（CIoT）に対応している。具体的には、コアネットワーク21は、UE100が送受信する信号量の削減に配慮されたユーザプレーン（UP） based NW（UP based NW）である。コアネットワーク21は、移動管理ノード31（以下、MME31）を含む。
【００２１】
コアネットワーク21では、コアネットワーク20と同様に、DRBを用いてUプレーンデータのデータが送受信される。但し、UE100がコアネットワーク21にアタッチした後、アイドル状態に遷移する場合でも、UE100及びeNB200は、コンテキスト（UE Context）を保持することができる。これにより、UE100がアイドル状態からアクティブ状態に遷移する際に当該コンテキストを再利用でき、UE100が送受信する信号量を削減できる。
【００２２】
コアネットワーク22は、コアネットワーク21と同様に、CIoTに対応している。具体的には、コアネットワーク22は、SRBを用いてUプレーンデータが送受信される制御プレーン（CP） based NW（CP based NW）である。コアネットワーク22は、移動管理ノード32（以下、MME32）を含む。
【００２３】
コアネットワーク22では、NAS-PDU（Non-Access Stratum Protocol Data Unit）がSRBにピギーバックされ、NAS-PDUを用いてユーザプレーンのデータが伝送される。これにより、DRBの設定が不要となるため、UE100が送受信する信号量を削減できる。
【００２４】
UE100及びeNB200は、LTEの仕様に従った無線通信を実行する。特に、本実施形態では、UE100は、Internet of Things（IoT）向けのUE（NB-IoT UE）であり、一般的なUEと比較すると、機能が限定されている。
【００２５】
例えば、UE100は、一派的なUEよりも狭い周波数帯域（200kHz）を用いる。また、UE100は、半二重通信（Half Duplex）を実行し、移動性に対応していない。
【００２６】
（２）無線通信システムの機能ブロック構成
次に、無線通信システム10の機能ブロック構成について説明する。具体的には、UE100及びeNB200の機能ブロック構成について説明する。
【００２７】
（２．１）UE100
図２は、UE100の機能ブロック構成図である。図２に示すように、UE100は、RA手順実行部110、接続要求送信部120及び接続処理部130を備える。
【００２８】
なお、図２に示すように、UE100の各機能ブロックは、無線通信モジュール、プロセッサ（メモリを含む）、機能モジュール（外部接続IF、位置検出、各種測定など）、及び電源（バッテリ含む）などのハードウェア要素によって実現される。
【００２９】
RA手順実行部110は、eNB200とランダムアクセス（RA）手順を実行する。具体的には、RA手順実行部110は、ランダムアクセスチャネル（RACH）を介して、ランダムアクセスプリアンブル（RA Preamble）を含むMsg.1をeNB200に送信する。
【００３０】
RA手順実行部110は、eNB200から返送されるランダムアクセス応答（RA Response）を含むMsg.2を受信し、eNB200との無線通信を実行するために必要な情報（無線リソースの割当など）を取得する。
【００３１】
接続要求送信部120は、RA手順実行部110によるRA手順が完了すると、指定された無線リソースを用いて無線リソース制御レイヤ（RRCレイヤ）における接続要求、具体的には、RRC Connection Requestを含むMsg.3をeNB200に送信する。
【００３２】
接続要求送信部120は、Msg.3のMACヘッダ領域にUE100がサポートしているコアネットワークの種別を示すサポート情報を含めることができる。具体的には、本実施形態では、接続要求送信部120は、MACヘッダ領域に含まれる論理チャネル識別子（LCID）用いてUE100がサポートしているコアネットワーク（コアネットワーク20, 21, 22）の種別が示されたサポート情報を含めることができる。
【００３３】
ここで、図５（ａ）及び（ｂ）は、Msg.3の送信に用いられるMAC PDU及びMAC subheaderの構成例を示す。具体的には、図５（ｂ）は、MAC PDU全体の構成を示し、図５（ａ）は、MAC subheaderに含まれるR/F2/E/LCID sub-headerの構成を示す。
【００３４】
図５（ａ）及び（ｂ）に示すように、MAC headerには、複数のR/F2/E/LCID sub-headerが含まれる。R/F2/E/LCID sub-headerには、LCIDが含まれる。
【００３５】
図６は、上り方向の共有チャネル（UL-SCH）におけるLCIDの一例を示す。図６に示すように、LCIDは、5ビットで表現されるが、そのうち、以下の値を用いて、UE100がサポートしているコアネットワークの種別を示す。
【００３６】
・  01100：  CP based NWに対応
・  01101：  UP based NWに対応
・  01110：  CP based NW及びUP based NWに対応
なお、上述の5ビットの値は一例であり、予備用として確保されている値であれば、異なる値を用いても構わない。
【００３７】
また、UE100は、CP based NWまたはUP based NWの何れか一方（例えば、UP based NW）のみをLCIDを用いて通知し、当該LCIDが通知されない場合には、他方（CP based NW）に対応していると見なしてもよい。さらに、LCIDを用いてLegacyなコアネットワークに対応していることを通知してもよい。
【００３８】
接続処理部130は、RA手順実行部110によって取得された無線リソースを用いてRRCレイヤにおけるコネクションなどを設定する。具体的には、接続処理部130は、接続要求送信部120によって送信されたRRC Connection Requestに対して、eNB200から返送されるRRCConnectionSetupをUE100から受信し、RRCコネクションを確立する。
【００３９】
また、接続処理部130は、RRCコネクションの設定が完了したことを示すRRCConnectionSetupCompleteをeNB200に送信する。
【００４０】
（２．２）eNB200
図３は、eNB200の機能ブロック構成図である。図３に示すように、eNB200は、RA手順実行部210、接続処理部220及びネットワーク選択部230を備える。
【００４１】
なお、図３に示すように、eNB200の各機能ブロックは、無線通信モジュール、プロセッサ（メモリを含む）、機能モジュール（ネットワークIFなど）及び電源などのハードウェア要素によって実現される。
【００４２】
また、eNB200では、このようなハードウェア要素によって、メディアム・アクセス・制御レイヤ（MACレイヤ）、無線リンク制御レイヤ（RLCレイヤ）、無線リソース制御レイヤ（RRCレイヤ）、及びS1アプリケーション・プロトコルレイヤ（S1-APレイヤ）などが構成される。
【００４３】
RA手順実行部210は、UE100とランダムアクセス（RA）手順を実行する。具体的には、RA手順実行部210は、UE100から送信されたRA Preambleに基づいて、RA Preambleに対する応答であるRA Response（Msg.2）をUE100に返送する。
【００４４】
接続処理部220は、UE100とRRCレイヤにおけるコネクションなどを設定する。具体的には、接続処理部220は、UE100からRRC Connection Requestを受信し、RRCConnectionSetupを返送する。また、接続処理部220は、UE100からRRCConnectionSetupCompleteを受信し、RRCコネクションの確立を完了する。
【００４５】
また、接続処理部220は、UE100がサポートしているコアネットワークの種別を示すサポート情報を、UE100から受信する。本実施形態において、接続処理部220は、サポート情報受信部を構成する。
【００４６】
さらに、接続処理部220は、S1アプリケーション・プロトコルレイヤ（S1-APレイヤ）における設定処理を実行する。
【００４７】
上述したように、サポート情報は、Msg.3のMACヘッダ領域に含まれるLCID（論理チャネル識別子）を用いてUE100がサポートしているコアネットワーク（UP based NW, CP based NW）の種別を示すものである。図５（ａ）及び（ｂ）に示したように、LCIDは、メディアム・アクセス・制御レイヤ（MACレイヤ）におけるヘッダ領域に含まれている。
【００４８】
ネットワーク選択部230は、UE100が接続すべきコアネットワークを選択する。具体的には、ネットワーク選択部230は、接続処理部220が受信したサポート情報に基づいて、UE100と接続されるコアネットワークを選択する。
【００４９】
より具体的には、ネットワーク選択部230は、Msg.3のMACヘッダ領域に含まれるLCIDの値に基づいて、UE100と接続されるコアネットワーク、つまり、MMEを選択する。
【００５０】
例えば、LCIDの値が「01100」の場合（図６参照）、ネットワーク選択部230は、CP based NW（MME32）を選択する。また、LCIDの値が「01101」の場合、ネットワーク選択部230は、UP based NW（MME31）を選択する。
【００５１】
LCIDの値が「01110」の場合、つまり、UE100がCP based NW及びUP based NWに対応している場合、ネットワーク選択部230は、eNB200に設定されている局データの設定に従って、コアネットワーク（MME）を選択することができる。また、LCIDの値が「01110」の場合、ネットワーク選択部230は、予め設定されている値（Default値）に基づいてコアネットワーク（MME）を選択してもよい。
【００５２】
なお、このようなコアネットワークの選択は、NNSF（NAS Node Selection Function）、或いはMME Load balancing（3GPP TS36.300, TS23.401参照）の拡張として実現されてもよい。
【００５３】
また、ネットワーク選択部230は、当該サポート情報に基づいて、MACレイヤからS1アプリケーション・プロトコルレイヤ（S1-APレイヤ）に、UE100がサポートしているコアネットワークを通知することができる。これにより、接続処理部220（S1-APレイヤ）は、UE100がサポートしているコアネットワークを認識することができ、S1インタフェースを介して当該コアネットワークのMMEと通信を実行する。
【００５４】
なお、ネットワーク選択部230は、当該サポート情報に基づいて、MACレイヤから、RRCレイヤを介してS1-APレイヤに、UE100がサポートしているコアネットワークを通知してもよい。このような通知形態によっても、eNB200のS1-APレイヤは、UE100がサポートしているコアネットワークを認識することができる。
【００５５】
（３）無線通信システムの動作
次に、無線通信システム10の動作について説明する。具体的には、eNB200によるコアネットワークの選択動作について説明する。
【００５６】
図４は、UE100及びeNB200によるコアネットワークの選択シーケンスを示す。図４に示すように、UE100は、通信を開始するため、RA Preambleを含むMsg.1をeNB200に送信する（S10）。
【００５７】
eNB200は、RA Preambleに対する応答であるRA Response（Msg.2）をUE100に返送する（S20）。
【００５８】
UE100は、RA Preambleに含まれる情報に基づいて、無線リソースを設定し、RRC Connection Requestを含むMsg.3をeNB200に送信する（S30）。
【００５９】
上述したように、Msg.3には、UE100がサポートしているコアネットワークの種別を示すサポート情報（具体的には、LCID）が含まれている。
【００６０】
eNB200は、Msg.3に含まれているサポート情報（LCID）に基づいて、UE100と接続されるコアネットワークを選択する（S40）。なお、eNB200による具体的なコアネットワークの選択方法は、上述したとおりである。ここでは、LCIDの値が「01101」であり、コアネットワーク21（UP based NW, MME31）が選択されたものとする。
【００６１】
eNB200は、選択されたMME31に対して、S1-APレイヤにおけるコンテキストの設定を開始するInitial UE Messageを送信する（S50）。
【００６２】
MME31は、eNB200から受信したInitial UE Messageに対する応答であるInitial Context Setup RequestをeNB200に送信する（S60）。
【００６３】
eNB200は、MME31から受信したInitial Context Setup Requestに基づいて、UE100に関するコンテキストを設定し、Initial Context Setup ResponseをMME31に送信する（S70）。
【００６４】
また、eNB200は、S1-APレイヤにおけるコンテキストの設定が完了したことに応じて、RRCConnectionSetup（Msg.4）をUE100に返送する（S80）。
【００６５】
UE100は、RRCConnectionSetupの内容に基づいてRRCコネクションの設定を設定し、RRCコネクションが完了したことを示すRRCConnectionSetupCompleteをeNB200に送信する（S90）。
【００６６】
（４）作用・効果
上述した実施形態によれば、以下の作用効果が得られる。eNB200は、UE100から受信したMsg.3のMACヘッダ領域に含まれるサポート情報（LCID）に基づいて、UE100がサポートしているコアネットワークを認識し、当該サポート情報に基づいて、UE100と接続されるコアネットワークを選択する。
【００６７】
このため、Msg.3のMACヘッダ領域を活用して当該サポート情報をeNB200に通知することができ、Msg.3のサイズ自体を増大する必要がない。これにより、RA手順内においてUE100（NB-IoT UE）から送信されたMsg.3のeNB200における受信特性に悪影響を与える可能性を排除できる。
【００６８】
すなわち、eNB200によれば、RA手順におけるMsg.3の内容を拡張せずに、NB-IoT UE向けの適切なコアネットワークを選択し得る。
【００６９】
本実施形態では、Msg.3のMACヘッダ領域に含まれるLCIDを用いて当該サポート情報がeNB200に通知される。より具体的には、LCIDの予備として確保されているビットが当該サポート情報に割り当てられる。これにより、既存のMAC PDUの構成の変更や、新たな情報要素を規定することなく、当該サポート情報をeNB200に通知することができる。
【００７０】
本実施形態では、eNB200は、MACレイヤからS1-APレイヤに、UE100がサポートしているコアネットワークを通知することができる。或いは、eNB200は、MACレイヤから、RRCレイヤを介してS1-APレイヤに、UE100がサポートしているコアネットワークを通知することができる。
【００７１】
これにより、eNB200のS1-APレイヤは、UE100がサポートしているコアネットワークを認識することができ、S1インタフェースを介して当該コアネットワークのMMEと通信を実行することができる。
【００７２】
（５）その他の実施形態
以上、実施形態に沿って本発明の内容を説明したが、本発明はこれらの記載に限定されるものではなく、種々の変形及び改良が可能であることは、当業者には自明である。
【００７３】
例えば、上述した実施形態では、LCIDを用いて、UE100がサポートしているコアネットワークの種別を示すサポート情報が通知されていたが、必ずしもLCIDを用いなくても構わない。つまり、Msg.3のヘッダ領域に含まれる他のビットを用いてサポート情報を通知するようにしてもよい。或いは、Msg.3のサイズを拡張しないのであれば、Msg.3のペイロード部分（RRC Connection Requestなど）を用いてサポート情報を通知するようにしてもよい。
【００７４】
また、上述した実施形態では、eNB200のネットワーク選択部230が、MACレイヤとS1-APレイヤとの間におけるサポート情報の通知を実行していたが、eNB200に実装されるMACレイヤ自体が、S1-APレイヤ（またはRRCレイヤ）に対して、サポート情報（LCID）の内容を通知し、当該通知に応じて、ネットワーク選択部230が上述したコアネットワークの選択動作を実行してもよい。
【００７５】
さらに、上述した実施形態では、MACレイヤからS1-APレイヤに、UE100がサポートしているコアネットワークが通知されていたが、このようなS1-APレイヤへの通知機能は必ずしも必須ではない。つまり、eNB200が、サポート情報に基づいて選択したMMEと、UE100のコンテキストの設定に関する通信を実行できればよい。
【００７６】
また、上述した実施形態では、UE100がNB-IoT UEである場合を例として説明したが、他のカテゴリのUE（例えば、Cat.1やCat.M）がサポートするコアネットワークをサポート情報によって通知してもよい。
【００７７】
また、本発明は、以下のように表現されてもよい。本発明の一態様は、メディアム・アクセス・制御レイヤ（MACレイヤ）を備え、複数のコアネットワーク（コアネットワーク20, 21, 22）と接続された無線基地局（eNB200）であって、前記無線基地局は、データ無線ベアラ（DRB）を用いてユーザプレーン・データが送受信され、アイドル状態においてもユーザ装置（UE100）のコンテキストが保持される第１コアネットワーク（コアネットワーク21）と、シグナリング無線ベアラ（SRB）を用いてユーザプレーン・データが送受信される第２コアネットワーク（コアネットワーク22）とに少なくとも接続されており、前記無線基地局は、前記メディアム・アクセス・制御レイヤにおけるヘッダ領域に含まれ、前記ユーザ装置がサポートしているコアネットワークの種別を示すサポート情報を、前記ユーザ装置から受信するサポート情報受信部（接続処理部220）と、前記サポート情報受信部が受信した前記サポート情報に基づいて、前記ユーザ装置と接続されるコアネットワークを選択するネットワーク選択部（ネットワーク選択部230）とを備えることを要旨とする。
【００７８】
本発明の一態様において、前記サポート情報受信部は、前記ヘッダ領域に含まれる論理チャネル識別子（LCID）を用いて前記ユーザ装置がサポートしているコアネットワークの種別が示された前記サポート情報を受信してもよい。
【００７９】
本発明の一態様において、前記ネットワーク選択部は、前記サポート情報に基づいて、前記メディアム・アクセス・制御レイヤからS1アプリケーション・プロトコルレイヤに前記ユーザ装置がサポートしているコアネットワークを通知してもよい。
【００８０】
本発明の一態様において、前記ネットワーク選択部は、前記サポート情報に基づいて、前記メディアム・アクセス・制御レイヤから、無線リソース制御レイヤを介してS1アプリケーション・プロトコルレイヤに前記ユーザ装置がサポートしているコアネットワークを通知してもよい。
【００８１】
本発明の一態様は、複数のコアネットワークを含む無線通信システムにおける無線通信方法であって、前記無線通信システムに含まれる無線基地局は、データ無線ベアラを用いてユーザプレーン・データが送受信され、アイドル状態においてもユーザ装置のコンテキストが保持される第１コアネットワークと、シグナリング無線ベアラを用いてユーザプレーン・データが送受信される第２コアネットワークとに少なくとも接続されており、前記ユーザ装置が、メディアム・アクセス・制御レイヤにおけるヘッダ領域に含まれ、前記ユーザ装置がサポートしているコアネットワークの種別を示すサポート情報を、前記無線基地局から送信するステップと、前記無線基地局が、前記ユーザ装置から受信した前記サポート情報に基づいて、前記ユーザ装置と接続されるコアネットワークを選択するステップとを含むことを要旨とする。
【００８２】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００８３】
10  無線通信システム
20, 21, 22  コアネットワーク
30, 31, 32  MME
100  UE
110  RA手順実行部
120  接続要求送信部
130  接続処理部
200  eNB
210  RA手順実行部
220  接続処理部
230  ネットワーク選択部
【図１】
2017147518.tif 000003
【図２】
2017147518.tif 000004
【図３】
2017147518.tif 000005
【図４】
2017147518.tif 000006
【図５】
2017147518.tif 000007
【図６】
2017147518.tif 000008